(57)【要約】      （修正有）【課題】水中で連なった複数のバケットが、気泡を受入れることによって浮力を得て浮上することによって発電する装置において、バケットが気泡を受け入れて気泡の浮力で浮上するとき、装置下部へ移動するバケットにかかる水の抵抗を減らす。【解決手段】水中で移動するバケット２にかかる水の抵抗を減らす為に、バケットを折りたたみ式にする。また、折りたたまれた状態のバケットでは、十分に気泡を受入れる事ができない為、装置を稼働させる為の浮力を得る事ができないので、バケットが気泡を受入れる際に、気泡の浮力を利用することによって自動的に折りたたまれる前のバケットの形態に変形し、より多くの気泡を受入れることができる。より多くの気泡を受入れることで装置全体のバケットの浮力の総和が、バケットが受ける水の対抗の総和を越えるので装置がスムーズに回転し、その回転エネルギーを発電機７を通して電力に転化させる構造。【選択図】図１
2019138293.tif 000002
【特許請求の範囲】
【請求項１】
水中から発せられた気泡を水中のバケット（２）で受け、バケットが気泡による浮力を得ることによって、バケットに接続されたチェーン（４）を浮上させ、さらにチェーンに連動された回転体を回し、回転体に連結された発電機（７）を回転させることによって発電するバケット式浮力発電装置。
【請求項２】
水中で回転体を水面近く（１１）と下方の気泡の出口近く（１０）の上下に２個設置し、それらをチェーンで一周するように囲い、チェーンに等間隔にバケットを接続させることで、気泡が入り浮力を得たバケットがチェーンに繋がった全てのバケットと連動して動かす為、浮力を得て浮上したバケットが再度浮力を得る為に気泡を受け取れる下方まで移動させる事ができるバケット式浮力発電装置。
【請求項３】
水面上に出たバケットが請求項２の気泡を受けれことができる装置の下部まで移動する際に水の抵抗を受け、装置の駆動を妨げることになるので、水の抵抗を軽減する為に、水面上のバケットが再度水中に入る際に、水の抵抗を受けることによって自動的に折りたたみ、水の抵抗を減らす（９）ので、スムーズにバケットが移動できるバケット式浮力発電装置。
【請求項４】
請求項３の折りたたまれた状態のバケットが、ポンプより放たれた気泡の浮力によって自動的に開き（２）、装置を動かすための十分な気泡をバケットに受入れることが出来る形態に変形するバケット式浮力発電装置。
【請求項５】
請求項４のバケットにポンプからの空気を受入れる際（２）にバケットの外に気泡を逃さ無い為の板（１５）を付けたバケット式浮力発電装置。
【請求項６】
浮力を得る事ができるバケットの数が多ければ多いほど、発電のためのエネルギーは多くなるので、装置を入れるための水槽の水深を深くして装置の高さを高くすることによって、発生させる気泡の量を増やすことなく発電量を増やす事ができるバケット式浮力発電装置。
【発明の詳細な説明】
【技術分野】
【０００１】この発明は、水中で連なった複数の開閉式バケットが気泡を受け入れることで浮力を得て浮上し、バケットに接続されたチェーンを動かす事でチェーンに連動した回転体を回し、さらに回転体に接続された発電機によって発電するものである。
【背景技術】
【０００２】水中でバケットなどを使い、そのバケットに気泡を入れ、バケットの浮力で回転体を回すアイデアは多数存在するが、バケットの浮力と装置にかかる水の対抗が相殺するので効率よく回転体を回すことが出来ない。（特許文献１、特許文献２、特許文献３  参照）
【先行技術文献】
【特許文献】
【０００３】
【特許文献１】特開２００７−２３９７２６号公報
【特許文献２】特開２００７−１３８８８３号公報
【特許文献３】特開２００８−３０３８６５号公報
【発明の概要】
【発明が解決しようとする課題】
【０００４】気泡の浮力を使って水中で回転体を回す装置では、複数のバケットが装置を一周するチェーンに接続され連動しており、その半数が気泡が入り浮力を得たバケットで、残りの半数が気泡を放出したバケットだが、気泡の入っていないバケットはチェーンを動かすためのエネルギーはなく、移動する際には水の抵抗が発生するため、気泡の入ったバケットの浮力が膨大ではない限り、装置全体が動かない。発生させる気泡の量が多く、浮力が膨大な場合は装置が動くことはあり得るが、その場合は気泡を発生させるためのエネルギーの方が、装置で発生させる電力よりも大きくなり、発電装置としての役割を果たさない。
【課題を解決するための手段】
【０００５】気泡が入っていなく、移動する際に水の対抗のみがかかるバケットをコンパクトに折りたたむ事で、水の抵抗を大幅に減らし、少ない浮力でも回転体を動かすことができる。折りたためられたバケットは気泡をが入る際に気泡の浮力で自動的に折りたたまれる前のバケットの状態に変形し、より多くの気泡を受け入れ、より多くの浮力を得る事ができる。
本発明は以上の構成よりなる発電装置である。
【発明の効果】
【０００６】水の抵抗を減らすことにより、気泡の浮力（エネルギー）で回転体（１０）（１１）を回すことができるようになった。バケット内の気泡は水面上に出るまで、逃げることなく上昇し、回転体を回転し発電し続けるので、装置の高さが高く、バゲットの数が多ければ多いほど同じ気泡の発生量でもより多くのエネルギーを得ることができる。そのため、気泡を発生させる際にエネルギーを使用したとしても、それ以上のエネルギーを得ることができる。
【発明を実施するための形態】
【０００７】図面１は、装置全体の設置した側面図で、各パーツの稼動時の形態を説明したものであり、装置の最下部に外部より接続された空気ポンプ（１）、或いは気泡の排出口を設置し、そこから排出された気泡が折り畳まれたバケットの開口部に入り、気泡の浮力でフタ（１７）を持ち上げる。
【０００８】バケット本体（１３）とフタ（１７）の間には、ビニールや防水性の布などの柔らかい素材でできた気泡受け（１６）が接続されており、フタ（１７）が閉じている間は、気泡受け（１６）はバケット本体（１３）の中に折り畳まれて格納される。
【０００９】０００７で気泡がフタを持ち上げる際に、より多くの気泡がバケット本体（１３）に入るために、補助板（１５）を設置して、バケットが移動する軌道外に気泡が漏れるのを防ぐ。
【００１０】なお、０００９の際（２）にバケットに入らなかった気泡の大多数は（３）の段階でバケットに入る。（２）では気泡が入る為の開口部の面積が小さいので、気泡が逃れやすいが、（３）では気泡によって開いたフタ（１７）がバケット本体（１３）を持ち上げるために、開口部が広くなり、より多くの気泡を受け入れる。
【００１１】装置の上部ではバケットが水面上に出て、気泡が放出される（６）。同時に重力によって（１３）が折りたたまれ、さらに装置が回転し、水中にバケットが入る段階で（８）の様に（１７）が水圧で閉じて、気泡受け（１６）も折りたたまれ（１３）に格納される。
【００１２】（９）の状態でバケットの水の抵抗が最小になり、（２）の位置で再度気泡を受入れるまでバケットはこのまま折りたたまれた状態で移動する。
【００１３】図面２はバケットの部品が分解された図である。（１４）が装置のチェーンに接続されており、（１５）は（１４）に固定されている。
【００１４】（１５）の上部に（１３）の端部が接続されていて、接続部を軸に９０°回転する。
【００１５】同様に（１３）の端部に（１７）の根元が接続され、接続部を軸に９０°回転する。
【００１６】（１３）と（１７）の間には、自由に変形する軟質ビニールや布の様な柔らかい素材の気泡受け（１６）が設置されており、全ての部品を組み立てると（２２）の形態になる。
【００１７】図面３はバケットの変形の様子を表した図である。水圧によって折りたたまれた状態のバケット（９）（１９）は（２）の際に下部から気泡が入り、（１６）に気泡が溜まり、広がりつつ（１７）を持ち上げる（２０）。その際に（１５）は気泡が（１９）の右側に逃れるのを防ぐために設置する。
【００１８】ある程度（１６）に気泡が入った段階で（１６）（１７）は気泡の浮力で（１３）を持ち上げ、バケットの底面積が最大となるので、下方から浮上する気泡をより効率よく受入れることができる（２２）。なお、この状態はバケットが上昇する際に水の抵抗を受けにくい流線型である。
【００１９】偶数のバゲットを設置した場合、半数は浮力を得ている状態で、半数は水の抵抗を受けている状態のため、全体の浮力エネルギーはおおよそ
（気泡が入っているバゲットの浮力）−（気泡の無いバゲットの水の抵抗）
×全体のバケット数の１／２となる。
【００２０】この装置では（気泡が入っているバゲットの浮力）−（気泡の無いバゲットの水の抵抗）は必ずプラスのエネルギニーとなるので、縦に長ければ長いほど多くのバゲットを設置することができるこの装置は、縦に伸ばせばより多くの浮力エネルギーを得ることができる。縦に伸ばしても設置面積と発生させる気泡の量は変わら無いので、少ない設置面積で設置することができる。
【００２１】気泡を発生させる為に電力などの他のエネルギーを使用したとしても、装置を縦に伸ばしてバケットの数を増やしても、気泡を発生させる為に使用したエネルギーは変わら無いので、装置を縦に伸ばしてバケット数を増やすことで、いずれ消費したエネルギーよりも多くの電力を発電させることが出来る。
【図面の簡単な説明】
【００２２】
【図１】  装置全体の形態と動きを説明する側面図。
【図２】  バケットをパーツごとに分解した斜視図。
【図３】  バケットに気泡が入ることによって変形するバケットの様子の斜視図。
【符号の説明】
【００２３】    １    空気ポンプ
２    開閉式バケット
４    チェーン
７    発電機
１０  回転体
１１  回転体
１２  水面
１３  バケット本体
１４  チェーン接続部
１５  補助板
１６  空気溜
１７  フタ
【図１】
2019138293.tif 000003
【図２】
2019138293.tif 000004
【図３】
2019138293.tif 000005